(57)【要約】【課題】  すぐれた消火能力を持ち、オゾン破壊を生じる危険性が少ない新しいガス系消火剤で、十分なガス圧をもって噴射することができる消火剤を充填した消火具を提供すること。【解決手段】  容器内に取り付けた導通管が、弁体を通じて容器外の導出管と連結しており、容器内に充填した液体をその導通管を通して前記導出管に導き、該導出管から噴射する容器であって、容器内にハイドロデカフルオロペンタンを主たる成分とする消火剤と、沸点が０℃〜−２７０℃の範囲にある物質のうちの少なくとも１種類からなる噴射剤が充填されている消火具。【選択図】    図１
0003106960.tif 000002
【実用新案登録請求の範囲】
【請求項１】
ハイドロデカフルオロペンタンを主たる成分とする消火剤と、沸点が０℃〜−２７０℃の範囲にある物質のうち少なくとも1種類からなる噴射剤を、容器内に充填してなる消火具。
【請求項２】
前記容器が、エアゾール缶容器であることを特徴とする請求項１に記載の消火具。
【請求項３】
前記沸点が０℃〜−２７０℃の範囲にある物質が、フッ素含有炭化水素である請求項１または２に記載の消火具。
【考案の詳細な説明】
【技術分野】
【０００１】
本考案は、すぐれた消火能力を持ち、オゾン破壊を生じる危険性が少ない新しいガス系消火剤を充填した消火具に関する。
【背景技術】
【０００２】
ガス消火剤としては、ハロン系消火剤および二酸化炭素系消火剤が主に用いられてきた。中でも、ハロン系消火剤が、消火効果が極めて高く、消火剤量が少なくてすむという特性に加え、人に対する安全性などの特性から、消火剤として高い評価を受けた。その結果、一般家庭向けの消火剤としても、軽量・コンパクトで力を使うことなく手軽に使用できるスプレー式簡易消火具の形で使用されてきた。ハロン系消火剤としては、ハロン１２１１やハロン１３０１などが主に使用されてきた。
【０００３】
ところが、ハロンが大気中に放出された場合、成層圏のオゾン層破壊などの影響を及ぼす可能性が指摘されたことから、ハロン代替品となる新たなガス系消火剤の開発が望まれるようになったため、オゾン層破壊などの影響がなく、かつ十分な噴出ガス圧を示す消火剤を充填した消火具の開発が望まれている。
【考案の開示】
【考案が解決しようとする課題】
【０００４】
本考案の目的は、すぐれた消火能力を持ち、オゾン破壊を生じる危険性が少ない新しいガス系消火剤を充填した消火具を提供することにある。
また本考案の目的は、上記のような消火剤を、十分なガス圧をもって噴射することができる消火具を提供することにある。
【課題を解決するための手段】
【０００５】
本考案は、ハイドロデカフルオロペンタンを主たる成分とする消火剤と、沸点が０℃〜−２７０℃の範囲にある物質のうち少なくとも1種類からなる噴射剤を、容器内に充填してなる消火具を提供する。
前記容器が、エアゾール缶容器であるエアゾール式消火具は、本考案の好ましい態様である。
前記沸点が０℃〜−２７０℃の範囲にある物質がフッ素含有炭化水素である前記消化具は、前記本考案の消火具の好ましい態様である。
【考案の効果】
【０００６】
本考案により、すぐれた消火能力を持ち、オゾン破壊を生じる危険性が少ない新しいガス系消火剤を充填した消火具が提供される。
本考案によれば、十分なガス圧を得ることができるので、外的環境に左右されることなく消火剤を噴射することができる消火具を提供することができる。
【考案を実施するための最良の形態】
【０００７】
本考案における消火剤は、ジハイドロデカフルオロペンタンを消火剤の主たる成分として含有する消火剤である。
【０００８】
ジハイドロデカフルオロペンタンとしては、異性体が存在するが、それぞれの異性体について消火剤としての使用が可能である。中でも、２，３−ジハイドロデカフルオロペンタンが好ましい。
【０００９】
本考案の消火剤は、優れた消火効果を示すので、消火剤としてハロン代替品となり得るものであり、加えて易分解性であり、オゾン層に影響を与える塩素原子及び臭素原子を含まないので、大気中に拡散された場合にもオゾン層の破壊問題を生じる危険性は無い。
そのため本考案の消火剤は、一般家庭用として軽量・コンパクトで力を使うことなく手軽に使用できる常備タイプの消火具、例えばスプレー式簡易消火具などにも好適に使用することができる。
【００１０】
本考案の消火剤は、消火具に適用するために、噴射剤となる低沸点物質の少なくとも１種を混合した消火剤混合物として使用される。噴射剤となる低沸点物質としては、沸点が０℃〜−２７０℃の範囲にある物質を挙げることができる。
【００１１】
沸点が０℃〜−２７０℃の範囲にある物質の好ましい例としては、トリフルオロメタン（ＣＨＦ３、ＨＦＣ−２３、沸点−８２．０℃）１，１，２，２−テトラフルオロエタン（ＣＨＦ２ＣＨＦ２、ＨＦＣ−１３４、沸点−２３．０℃）、１，１，１，２−テトラフルオロエタン（ＣＦ３ＣＨ２Ｆ、ＨＦＣ−１３４ａ、沸点−２６．２℃）、ペンタフルオロエタン（ＣＦ３ＣＨＦ２、ＨＦＣ−１２５、沸点−４８．５℃）、ＣＦ３ＣＨＦＣＦ３（ＨＦＣ−２２７ｅａ、沸点−１５．６℃、）、１，１，１，３，３，３−ヘキサフルオロプロパン（ＣＦ３ＣＨ２ＣＦ３、ＨＦＣ−２３６ｆａ、沸点−１．４℃）、１，１，１，２，３，３-ヘキサフルオロプロパン、ヘプタフルオロプロパン、ＣＯ２（沸点−７８．５℃），Ｎ２（沸点−１９５．８℃）、ヘリウムなどを挙げることができる。中でも不燃性のフッ素含有炭化水素が好ましい。
【００１２】
本考案による消火剤は易分解性であり、オゾン層に影響を与える塩素原子及び臭素原子を含まないので、オゾン層の破壊問題を生じる危険性はない。
【００１３】
本考案の消火剤混合物をスプレー式簡易消火具などの消火具に充填することにより、一般家庭用として軽量・コンパクトで力を使うことなく手軽に使用できる消火具を得ることができる。
本考案の消火剤混合物を消火具に充填する方法には、特に制限はなく従来公知の方法を採用することができる。例えば、エアゾール缶にハイドロデカフルオロペンタン（ＨＦＣ４３−１０）を充てんし、エアゾールバルブをクリンプした後に、ＨＦＣ１３４ａなどの噴射剤を加圧充填することによって、スプレー式消火補助用具を製造することができる。
本考案の消火剤混合物を充填した消火具は、家庭用の常備タイプの簡易消火具として、好適に使用できるものである。
【００１４】
本考案の実施態様を、図面を参照しながら具体的に説明する。
図１は、本考案の一例であるエアゾール式消火具の縦断面図である。図１では、容器１の上部に、弁ハウジング２が取り付けられており、弁ハウジング２の下部に導通管３が設けられている。弁ハウジング２は導出口７を有する弁体４が備えられており、弁体４の下部にはスプリング５が取り付けられている。弁体４の上部には、Ｌ字形の導出路８を有する作動部６が設けられている。さらに、容器１には、本考案の消火剤Ａが充填されている。容器には、蓋体９が被せられている。
【００１５】
図１は、弁体が閉じた状態にあり、導出口７からは消火剤が出ない状態にある消火具を示しているが、作動部９が押し下げられると、弁体４はスプリングの作用によって押し下げられ、導出口７から消火剤が排出され得る状態となったとき、消火剤は弁体を経て、作動部６の導出路８から噴射されることになる。
図２は、作動部９が押し下げられて、消火剤が噴射されている状態を示す、本考案の消火具の縦断面図である。図２では、分かりやすいように、消火剤が薄黒で示されており、消火剤は、作動部の噴射口１０から噴射されている。
【００１６】
消火剤を噴射する形態として、霧状で噴射することも、棒状で噴射することも可能である。たとえば、作動部の噴射口の形状や大きさを選択することによって、噴射形態を希望のものに設定することができる。
【００１７】
容器の大きさ形状は、必要に応じて適宜選択することができる。本考案用の容器としてはエアゾール式の容器が好ましい。本考案の消火具は、エアゾール式簡易消火具であることが特に好ましい。
【産業上の利用可能性】
【００１８】
本考案により、すぐれた消火能力を持ち、オゾン破壊を生じる危険性が少ない新しいガス系消火剤を充填した消火具が提供される。
本考案によれば、十分なガス圧を得ることができるので、外的環境に左右されることなく消火剤を噴射することができる消火具を提供することができる。
本考案により、家庭でも安心して使用でき、常備消火具として採用できるエアゾール式消火具が提供される。
【図面の簡単な説明】
【００１９】
【図１】は、本考案の一例であるエアゾール式消火具を示す縦断面図である。
【図２】は、図１のエアゾール式消火具において、消火剤を噴射する状態にある様子を示す縦断面図である。
【符号の説明】
【００２０】
１．容器
２．弁ハウジング
３．導通管
４．弁体
５．スプリング
６．作動部
７．導出口
８．導出路
９．蓋体
１０．噴射口
Ａ．消火剤
【図１】
0003106960.tif 000003
【図２】
0003106960.tif 000004
【手続補正書】
【提出日】平成16年10月1日(2004.10.1)
【手続補正１】
【補正対象書類名】実用新案登録請求の範囲
【補正対象項目名】全文
【補正方法】変更
【補正の内容】
【実用新案登録請求の範囲】
【請求項１】
容器内に取り付けた導通管が、弁体を通じて容器外の導出管と連結しており、容器内に充填した液体をその導通管を通して前記導出管に導き、該導出管から噴射する容器であって、容器内にハイドロデカフルオロペンタンを主たる成分とする消火剤と、沸点が０℃〜−２７０℃の範囲にある物質のうちの少なくとも１種類からなる噴射剤が充填されている消火具。
【請求項２】
前記導出管が形成されている作動部を押し下げることによって、弁体が開き、液体を噴射する構造である請求項１に記載の消火具。
【請求項３】
前記沸点が０℃〜−２７０℃の範囲にある物質が、フッ素含有炭化水素である請求項１または２に記載の消火具。
【手続補正２】
【補正対象書類名】明細書
【補正対象項目名】０００５
【補正方法】変更
【補正の内容】
【０００５】
本考案は、容器内に取り付けた導通管が、弁体を通じて容器外の導出管と連結しており、容器内に充填した液体をその導通管を通して前記導出管に導き、該導出管から噴射する容器であって、容器内にハイドロデカフルオロペンタンを主たる成分とする消火剤と、沸点が０℃〜−２７０℃の範囲にある物質のうちの少なくとも１種類からなる噴射剤が充填されている消火具を提供する。
前記導出管が形成されている作動部を押し下げることによって、弁体が開き、液体を噴射する構造である前記消化具は、前記本考案の消火具の好ましい態様である。
前記沸点が０℃〜−２７０℃の範囲にある物質がフッ素含有炭化水素である前記消化具は、前記本考案の消火具の好ましい態様である。
【手続補正３】
【補正対象書類名】図面
【補正対象項目名】全図
【補正方法】変更
【補正の内容】
【図１】
0003106960.tif 000005
【図２】
0003106960.tif 000006